(57)【要約】【解決課題】放送されている番組内容を容易に確認することができる放送受信装置を提供する。【解決手段】時刻を計時するためのＧＰＳ受信部１１と、ＴＶ放送などの放送波を受信するためのＴＶチューナと、放送波により送信される番組の映像情報を表示するディスプレイとを備え、正時になると受信した複数の番組の映像情報をディスプレイ３２の同一画面上に同時に表示する。これにより、その時刻に受信可能なチャンネルの番組内容を確認することができる。【選択図】　図１
2004072543.tif 000002
【特許請求の範囲】
【請求項１】
時刻を計時する計時手段と、放送波を受信する受信手段と、放送波により送信される番組の映像情報を表示する表示手段とを備えた放送受信装置において、
所定時刻には、受信した複数の番組の映像情報を前記表示手段の同一画面上に同時に表示することを特徴とする放送受信装置。
【請求項２】
前記所定時刻は、正時であることを特徴とする請求項１記載の放送受信装置。
【請求項３】
正時刻毎に受信した複数の番組の映像情報を前記表示手段の同一画面上に同時に表示することを特徴とする請求項１記載の放送受信装置。
【請求項４】
時刻も併せて表示手段にて表示することを特徴とする請求項１ないし請求項３記載の放送受信装置。
【発明の詳細な説明】
【０００１】
【産業上の利用分野】
本発明は、放送波により送信される番組の映像情報を表示する放送受信装置に関する。
【０００２】
【従来の技術】
テレビ放送システムに代表される、番組毎の映像情報や音声情報を、地上波や衛星波といった放送波により送信する放送局と、この放送波をアンテナを介して受信することにより、送信されている映像情報や音声情報を復調して表示出力ならびに音声出力する端末受信機とから構成される放送システムは、現在では極めて周知である。
【０００３】
このような放送システムでは、放送局が放送する番組の放送プログラムの構成が、正時（０時００分、１時００分等の、各時の零分）毎を基準として番組内容を切り替える構成とされていることが多い。
【０００４】
【発明が解決しようとする課題】
しかしながら、近年では多チャンネル化、及び多番組化が進み、同時刻に放送されている番組の数が極めて多い。このため、放送される番組の全てを、視聴者が予め頭の中で記憶しておこくとは不可能に等しい。このため、番組を紹介した番組プログラム表を手元に準備していない場合では、その時刻にどのような番組が放送されているかを確認するために、視聴者自らが画面に表示される番組（チャンネル）を順次切り替えることが必要であり、煩わしさがあった。本発明が解決しようとする課題は、このような操作を必要とする煩わしさの解消を一例とする。
【０００５】
【課題を解決するための手段】
上記課題を解決するために、請求項１記載の放送受信装置は、時刻を計時する計時手段と、放送波を受信する受信手段と、放送波により送信される番組の映像情報を表示する表示手段とを備えた放送受信装置において、所定時刻には、受信した複数の番組の映像情報を前記表示手段の同一画面上に同時に表示することを特徴としている。
【０００６】
【発明の実施の形態】
以下、本発明に係る放送受信装置の実施の形態について図を参照しながら詳細に説明する。
【０００７】
図１は本発明に係る、放送受信装置の実施の形態を示すブロック図である。同図において、１は時刻を計時する計時手段であり時刻を計時するとともに、計時した時刻情報を出力する。２は放送局から送信されている放送波をアンテナを介して受信する受信手段であり、映像情報と音声情報などの受信した放送波に含まれる各種情報を復調する復調部を有し、復調された各種情報を出力する。３は受信手段２で復調された映像情報を加工し、またこれを視聴者が見れるように表示する表示手段である。４は受信手段２で復調された音声情報を出力する音声出力手段である。５は計時手段１から時刻情報が入力されるとともに、各手段を制御するための制御信号を各手段に出力する制御手段である。
【０００８】
これら各手段から構成される放送受信装置の動作について説明する。制御手段４は計時手段１から出力される時刻情報を受け、予め定められていた所定時刻であるか否かを判断する。この所定時刻とは、例えば各時刻の零分（以下、正時と称する。）であり、七時零分や八時零分などである。
【０００９】
制御手段５は、入力された時刻情報をもとに、所定時刻になったことを検出すると、受信手段２による放送波の受信制御、ならびに、表示手段３の表示制御、音声出力手段４の音声出力制御を開始する。受信手段２の制御としては、複数の放送波を順次受信する。そして、放送波により送信されている各番組の映像情報と音声情報を復調し、それぞれ、表示手段３と音声出力手段４に出力する。
【００１０】
表示手段３では、復調された各番組の映像情報を、順次、表示手段の同一画面上に表示してゆく。また、音声出力手段４は、復調した音声情報を各番組の表示タイミングに同期させて出力する。
【００１１】
本発明に係る放送受信装置では以上の構成により、所定時刻になると表示手段３の画面上には、その時刻に視聴することができる複数の番組の映像情報が同時に表示される。したがって、視聴者は番組表などを持たなくとも、その時点でどのような番組が放送され視聴することができるかを直ちに把握することができる。
【００１２】
【実施例】
以下、上述の実施の形態をより具体化した実施例について、図２ないし図４を参照しながら詳細に説明する。
【００１３】
図２は当該実施例を示すブロック図である。図３は実施例の動作を示すフローチャート図である。図４は表示例を示すものである。
【００１４】
図２において、１１は計時手段として機能するＧＰＳ受信部である。このＧＰＳ受信部１１は、ＧＰＳ衛星から発信されているＧＰＳ信号を受信するためのＧＰＳアンテナや、受信したＧＰＳ信号を復調するためのＧＰＳ信号デコーダーなどから構成されている周知のＧＰＳ受信部である。このＧＰＳ受信部１１で受信するＧＰＳ信号中には時刻情報が含まれている。したがって、ＧＰＳ受信部１１はこの時刻情報を利用し正確な現在時刻を計時する計時手段として機能することができる。
【００１５】
２１は放送波を受信するための受信手段としてのＴＶチューナである。操作部６１を介して視聴者がチャンネルを選択した際には、受信周波数をそのチャンネル周波数に設定して放送波を受信し、受信した放送波から映像情報や音声情報などの各種情報を復調する。また、ＣＰＵ５１による制御により、受信周波数が順次切替えられる場合には、その切替え制御に応じて複数のチャンネル周波数の放送波をが受信され、先と同様に映像情報や音声情報など各種情報を復調する。
【００１６】
３１は映像情報処理部であり、ＣＰＵ５１の制御下でＴＶチューナ２１から入力された映像情報を処理しディスプレイ３２に出力する。これら、映像情報処理部３１とディスプレイ３２は表示手段として機能する。映像情報処理部３１には、ＴＶチューナ２１から入力される複数の番組の表示情報をディスプレイ３２上で配列表示するための、周知のマルチ画面作成回路が備えられている。このマルチ画面作成回路は、図４（ｂ）に示すように、複数の番組の表示情報を個々に表示するための複数の表示エリアから構成される表示枠を形成する。さらに、図４（ｃ），（ｄ）に示すように、各表示エリア内には、ＴＶチューナ２１から入力された番組の表示情報を表示する。
【００１７】
４１は音声情報処理部であり、ＣＰＵ５１の制御下で、ＴＶチューナ２１から入力された音声情報のスピーカ４２への出力が、ディスプレイ３２上に番組の映像情報が表示されるのと同期するように調整され、また、受信した番組の映像情報の表示完了から所定時間経過後にはミュートが施されるように動作する。この音声情報処理部４１とスピーカ４２は音声出力手段として機能する。
【００１８】
次に、図３に示されるフローチャートと図４に示されるディスプレイ３２上での表示例を基に、当該実施例における動作制御について説明する。
【００１９】
この実施例に示す放送受信装置を車載用のナビゲーションシステムとの一体器として採用する場合においては、通常の使用状態では、図４（ａ）に示されるようにディスプレイ上には地図が表示されている。この時、先に説明した計時手段としてのＧＰＳ受信部１１は、車両の現在位置を測位するための現在位置測位手段としての役目も担う。
【００２０】
まず、放送受信装置が動作を開始すると、ＣＰＵ５１はＧＰＳ受信部１１が出力している時刻情報を取り込む（ステップＳ１）。そして、取り込んだ時刻情報に基づき、正時であるか否かを判断する（ステップＳ２）。正時でないと判断（Ｎｏ）された場合には、ステップＳ１に再び移行し、以下、ステップＳ２にて正時であると判断（Ｙｅｓ）されるまで処理が繰り返される。この間、ディスプレイ上の画面は切替えられず、地図の表示が続けられる。
【００２１】
ステップＳ２にて正時であると判断（Ｙｅｓ）されると、ＣＰＵ５１は映像情報処理部３１を制御して、まず、表示されていた地図を消去する。続いて、図４（ｂ）に示す如く、映像情報処理部３１内のマルチ画面作成回路により表示枠を形成してディスプレイ３２に出力する（ステップＳ３）。
【００２２】
続いて、ＣＰＵ５１はＴＶチューナ２１を制御して、まず、受信周波数を最初に受信すべきチャンネルの周波数に設定する（ステップＳ４）。さらに、ＣＰＵ５１は映像情報処理部３１を制御して、マルチ画面作成回路により作成された表示枠のうち、最初に映像情報を表示する表示エリア位置を決定し設定する（ステップＳ５）。この実施例の場合には、図４（ｂ）に示されている表示枠の、上段左の表示エリアが最初の表示位置とされている。
【００２３】
次に、映像情報処理部３１は、ＴＶチューナ２１によりステップＳ４で設定された周波数の送信波から復調された番組の表示情報から静止画を作成する（ステップＳ６）。そして、図４（ｃ）に示されているように、その静止画をステップ５で設定されていた表示エリア内に表示する（ステップＳ７）。この静止画の表示のタイミングで、スピーカ４２からは、その番組の音声情報が出力される。
【００２４】
次に、ＣＰＵ５１はマルチ画面作成回路により作成された表示枠の全てについて、静止画が表示されているか否かを判断する（ステップＳ８）。ここで、表示されていないと判断（Ｎｏ）された場合には、ステップＳ９に移行し、次に受信するチャンネルでの番組の映像情報を表示するための表示エリア位置を決定し設定する（ステップＳ９）。本実施例では、二番目の位置としては、図４（ｂ）に示されている表示枠の、上段中央の表示エリアが設定される。
【００２５】
そして、ＣＰＵ５１はＴＶチューナ２１を制御して、次に受信すべきチャンネルに対応す周波数を受信周波数として設定（ステップＳ１０）して、再び、その周波数の送信波から復調された表示情報から静止画を作成し（ステップＳ６）、これを図４（ｄ）に示されているように、ステップＳ９で設定された上段中央の表示エリア位置に表示する（ステップＳ７）。そして、先と同様に、この静止画の表示のタイミングで、スピーカ４２からは、その番組の音声情報が出力される。
【００２６】
以上の如く、ステップＳ８にてマルチ画面作成回路により作成された表示枠の全てについて静止画が表示されていると判断されるまで、ステップＳ６からステップＳ１０までの処理が繰り返される。この結果、ディスプレイ３２上ではマルチ画面作成回路により作成された表示枠の全てについて番組毎の静止画が同時に表示され、また、その個々の静止画の表示タイミング毎には各番組の音声情報がスピーカ６２から出力される。
【００２７】
ステップＳ８にてマルチ画面作成回路により作成された表示枠の全てについて静止画が表示されていると判断（Ｙｅｓ）されると、表示枠の全てについて静止画が表示した完了時点から所定時刻が経過したか否かを判断する（ステップＳ１１）。ここでは、所定時刻が経過するまで判断が繰り返される。
【００２８】
ステップＳ１１にて所定時刻が経過したと判断（Ｙｅｓ）されると、表示枠ならびに各静止画を消去し、最初の表示内容、すなわち、本実施例の場合には地図表示に、表示内容が戻され（ステップＳ１２）、再び、ステップ１からの処理が繰り返される。
【００２９】
ステップＳ４で設定される最初に受信すべきチャンネルや、ステップＳ１０で設定される次に受信すべきチャンネルを、どのような規則とするかは、この実施例を具体化する際の任意決定事項である。なお、一例をあげると、ステップＳ４で設定される最初に受信すべきチャンネルを、放送受信装置を使用する地域での受信可能チャンネルの中で最も小さいチャンネル番号数字が付与されたチャンネルとし、ステップ１０で次に設定されるチャンネルをその次に小さいチャンネル番号数字が付与されたチャンネルとし、以降、段々とチャンネル番号が大きくなっていく規則の採用が考えられる。
【００３０】
また、マルチ画面作成回路により作成される、複数の表示エリアから構成される表示枠についても、その数や大きさは実施例を具体化する際の任意決定事項である。
【００３１】
さらに、本実施例では、マルチ画面の表示を開始する所定時刻を正時としたが、この時刻に限定されることはない。例えば、放送波に多重化されて含まれている番組情報（周知のＥＰＧ技術）を基に、複数の番組が開始される時刻を判断して、その時刻を所定時刻とし、且つ、開始される番組のチャンネルを順次受信することにより、開始される番組内容をその開始当初から確認することができる。
【００３２】
また、予め所定時刻を各正時毎としておこくとで、各正時には番組内容を確認することができる。また、視聴者が希望する時刻を予め装置に記憶させ、その記憶された時刻を所定時刻としても良い。
【００３３】
また、本実施例では計時手段として、正確に時刻を計時することができるＧＰＳ受信部１１を採用しているが、このような形態に限らず、装置内部に独自に備えた時計や、なお且つその時計がＧＰＳ受信部１１による校正を受けられるものを利用しても良いことは言うまでもない。
【００３４】
また、マルチ画面表示時にディスプレイ３２に表示される映像情報を静止画としたが、例えば、ＴＶチューナ２１を複数個用意することで、マルチ画面表示時にディスプレイ３２に表示される映像情報を動画とすることもできる。
【００３５】
以上のように、本発明に係る放送受信装置の実施例では、時刻を計時するＧＰＳ受信部１１と、放送波を受信するＴＶチューナと、放送波により送信される番組の映像情報を表示するディスプレイとを備え、正時には、受信した複数の番組の映像情報をディスプレイ３２の同一画面上に同時に表示するため、
その時刻に受信可能なチャンネルの番組内容を確認することができる。
【図面の簡単な説明】
【図１】本発明の実施の形態に係わるブロック図である。
【図２】本発明の実施例に係わるブロック図である。
【図３】本発明の実施例に係わるフローチャート図である。
【図４】本発明の実施例に係わる表示例を示した図である。
【符号の説明】
１…計時手段
２…受信手段
３…表示手段
４…音声出力手段
５…制御手段
【図１】
2004072543.tif 000003
【図２】
2004072543.tif 000004
【図３】
2004072543.tif 000005
【図４】
2004072543.tif 000006